(57)【要約】【課題】バーチャルプレイリストコンテンツ情報が設定されていなくても、バーチャルプレイリストコンテンツ情報を容易に設定可能にする。【解決手段】ＩＥＥＥ１３９４方式に準拠する Subunit Identifier descriptor Ｆ５０１は、Root List  総数と、リアルプレイリストである Root Contents list Ｆ５０２を含み、Root Contents list Ｆ５０２ は、リアルコンテンツとバーチャルコンテンツの総数（リアル＋バーチャルコンテンツ総数）と、リアルコンテンツ１、２、３及びバーチャルコンテンツ１、２、３〜の再生制御情報を含む。【選択図】図５
2008217852.tif 000002
【特許請求の範囲】
【請求項１】
ＩＥＥＥ１３９４方式に準拠するＤＩＳＣサブユニットを実装するとともに、前記ＤＩＳＣサブユニットにより記録されたコンテンツであるリアルコンテンツのタイトル名、トータル再生時間を含む再生制御情報を、前記ＩＥＥＥ１３９４方式に準拠するルート・コンテンツ・リスト内に記述し、さらに前記ルート・コンテンツ・リスト内に、前記リアルコンテンツをシーケンシャルに組み合わせて編集した仮想的なコンテンツであるバーチャルコンテンツの前記再生制御情報及び、前記リアルコンテンツの数と前記バーチャルコンテンツの数とを加算したコンテンツ総数を記述し、前記ルート・コンテンツ・リスト内に記述された前記リアルコンテンツと前記バーチャルコンテンツの各前記再生制御情報それぞれに対して、その再生情報に対応するコンテンツが前記リアルコンテンツか前記バーチャルコンテンツかを識別するための情報であるオブジェクトＩＤを記述する手段を備えた記録再生装置と、
前記記録再生装置に対して、前記ルート・コンテンツ・リストを要求して受信し、前記受信した前記ルート・コンテンツ・リスト内に記述されている前記オブジェクトＩＤに基づいて、前記ルート・コンテンツ・リスト内に記述されているコンテンツが前記リアルコンテンツか前記バーチャルコンテンツかを識別する手段と、識別した前記リアルコンテンツの前記タイトル名と前記バーチャルコンテンツの前記タイトル名とを区別して表示する手段とを備えた制御装置とを、
有する記録再生システム。
【請求項２】
ＩＥＥＥ１３９４方式に準拠するＤＩＳＣサブユニットを実装するとともに、前記ＤＩＳＣサブユニットにより記録されたコンテンツであるリアルコンテンツのタイトル名、トータル再生時間を含む再生制御情報を、前記ＩＥＥＥ１３９４方式に準拠するルート・コンテンツ・リスト内に記述する記録再生装置において、
前記ルート・コンテンツ・リスト内に、前記リアルコンテンツをシーケンシャルに組み合わせて編集した仮想的なコンテンツであるバーチャルコンテンツの前記再生制御情報及び、前記リアルコンテンツの数と前記バーチャルコンテンツの数とを加算したコンテンツ総数を記述し、前記ルート・コンテンツ・リスト内に記述された前記リアルコンテンツと前記バーチャルコンテンツの各前記再生制御情報それぞれに対して、その再生情報に対応するコンテンツが前記リアルコンテンツか前記バーチャルコンテンツかを識別するための情報であるオブジェクトＩＤを記述する手段を、
備えたことを特徴とする記録再生装置。
【請求項３】
前記ルート・コンテンツ・リスト内に記述された前記リアルコンテンツと前記バーチャルコンテンツの各前記再生制御情報それぞれに対して、その再生情報に対応するコンテンツが前記リアルコンテンツか前記バーチャルコンテンツかを識別するための情報であるオブジェクトＩＤを記述することを特徴とする請求項１に記載の記録再生装置。
【請求項４】
ＩＥＥＥ１３９４方式に準拠する制御装置において、
ＩＥＥＥ１３９４方式に準拠するＤＩＳＣサブユニットを実装するとともに、前記ＤＩＳＣサブユニットにより記録されたコンテンツであるリアルコンテンツのタイトル名、トータル再生時間を含む再生制御情報を、前記ＩＥＥＥ１３９４方式に準拠するルート・コンテンツ・リスト内に記述し、さらに前記ルート・コンテンツ・リスト内に、前記リアルコンテンツをシーケンシャルに組み合わせて編集した仮想的なコンテンツであるバーチャルコンテンツの前記再生制御情報及び、前記リアルコンテンツの数と前記バーチャルコンテンツの数とを加算したコンテンツ総数を記述し、前記ルート・コンテンツ・リスト内に記述された前記リアルコンテンツと前記バーチャルコンテンツの各前記再生制御情報それぞれに対して、その再生情報に対応するコンテンツが前記リアルコンテンツか前記バーチャルコンテンツかを識別するための情報であるオブジェクトＩＤを記述する手段を備えた記録再生装置に対して、前記ルート・コンテンツ・リストを要求して受信する手段と、
前記受信した前記ルート・コンテンツ・リスト内に記述されている前記オブジェクトＩＤに基づいて、前記ルート・コンテンツ・リスト内に記述されているコンテンツが前記リアルコンテンツか前記バーチャルコンテンツかを識別する手段と、
識別した前記リアルコンテンツの前記タイトル名と前記バーチャルコンテンツの前記タイトル名とを区別して表示する手段とを、
備えたことを特徴とする制御装置。
【発明の詳細な説明】
【技術分野】
【０００１】
本発明は、ＩＥＥＥ（Institute of Electrical and Electronic Engineers）１３９４方式に準拠する記録再生システム、記録再生装置及び制御装置に関する。
【背景技術】
【０００２】
ＩＥＥＥ１３９４高速シリアルバス規格に則ったＤＶＤ（Digital Versatile Disc）、ＡＶＨＤＤ（Audio Video Hard Disc Drive）、ＢＤ（Blu-ray Disc(登録商標)）などのＤＩＳＣ系ＡＶ記録再生装置は、１３９４ＴＡ（Trade Association）で定められた下記の非特許文献１及び各ＤＩＳＣメディアに特定した実装ガイドラインに準拠したＡＶ／Ｃコマンドの実装が推奨されている。その中で、実際に記録されたＡＶコンテンツ（これ以降、リアルプレイリストコンテンツと称する）の情報をＩＥＥＥ１３９４を介して制御装置に送る場合、リアルプレイリストコンテンツ情報の設定が規定されている。また、リアルプレイリストコンテンツのうち、いくつかのコンテンツ（その一部でもよい）をシーケンシャルに組み合わせて編集した仮想的なＡＶコンテンツ（これ以降、バーチャルプレイリストコンテンツと称する）情報の設定も規定されている（下記の特許文献１参照）。
【非特許文献１】1394TA  AV/C Disc Subunit General Specification 1.2
【特許文献１】国際公開ＷＯ２００３／０８３８６８号公報
【発明の開示】
【発明が解決しようとする課題】
【０００３】
しかしながら、バーチャルプレイリストコンテンツ情報の設定が複雑なため、１３９４ＴＡの実装ガイドラインにおいて、バーチャルプレイリストコンテンツ情報の設定の実装を義務付けされていないもの（ＡＶＨＤＤなど）が大半である。そのため、制御装置は、ＤＩＳＣ系ＡＶ記録再生装置からバーチャルプレイリストコンテンツ情報を取得できず、そのコンテンツを指定して再生することができないという問題点がある。
【０００４】
本発明は上記従来例の問題点に鑑み、バーチャルプレイリストコンテンツ情報を実際に記録したコンテンツの情報として仮想的に設定し、制御装置に送ることができる記録再生システム及び記録再生装置を提供することを目的とする。
本発明はまた、記録再生装置からバーチャルプレイリストコンテンツ情報を実際に記録したコンテンツの情報として受信し、この受信したコンテンツ情報を基に、記録再生装置に設定されているバーチャルプレイリストコンテンツを再生することができる制御装置を提供することを目的とする。
本発明はまた、リアルコンテンツのタイトル名とバーチャルコンテンツのタイトル名とを区別して表示することができる制御装置を提供することを目的とする。
【課題を解決するための手段】
【０００５】
本発明の記録再生システムは上記目的を達成するために、
ＩＥＥＥ１３９４方式に準拠するＤＩＳＣサブユニットを実装するとともに、前記ＤＩＳＣサブユニットにより記録されたコンテンツであるリアルコンテンツのタイトル名、トータル再生時間を含む再生制御情報を、前記ＩＥＥＥ１３９４方式に準拠するルート・コンテンツ・リスト内に記述し、さらに前記ルート・コンテンツ・リスト内に、前記リアルコンテンツをシーケンシャルに組み合わせて編集した仮想的なコンテンツであるバーチャルコンテンツの前記再生制御情報及び、前記リアルコンテンツの数と前記バーチャルコンテンツの数とを加算したコンテンツ総数を記述し、前記ルート・コンテンツ・リスト内に記述された前記リアルコンテンツと前記バーチャルコンテンツの各前記再生制御情報それぞれに対して、その再生情報に対応するコンテンツが前記リアルコンテンツか前記バーチャルコンテンツかを識別するための情報であるオブジェクトＩＤを記述する手段を備えた記録再生装置と、
前記記録再生装置に対して、前記ルート・コンテンツ・リストを要求して受信し、前記受信した前記ルート・コンテンツ・リスト内に記述されている前記オブジェクトＩＤに基づいて、前記ルート・コンテンツ・リスト内に記述されているコンテンツが前記リアルコンテンツか前記バーチャルコンテンツかを識別する手段と、識別した前記リアルコンテンツの前記タイトル名と前記バーチャルコンテンツの前記タイトル名とを区別して表示する手段とを備えた制御装置とを、
有する。
【０００６】
本発明の記録再生装置は上記目的を達成するために、
ＩＥＥＥ１３９４方式に準拠するＤＩＳＣサブユニットを実装するとともに、前記ＤＩＳＣサブユニットにより記録されたコンテンツであるリアルコンテンツのタイトル名、トータル再生時間を含む再生制御情報を、前記ＩＥＥＥ１３９４方式に準拠するルート・コンテンツ・リスト内に記述する記録再生装置において、
前記ルート・コンテンツ・リスト内に、前記リアルコンテンツをシーケンシャルに組み合わせて編集した仮想的なコンテンツであるバーチャルコンテンツの前記再生制御情報及び、前記リアルコンテンツの数と前記バーチャルコンテンツの数とを加算したコンテンツ総数を記述し、前記ルート・コンテンツ・リスト内に記述された前記リアルコンテンツと前記バーチャルコンテンツの各前記再生制御情報それぞれに対して、その再生情報に対応するコンテンツが前記リアルコンテンツか前記バーチャルコンテンツかを識別するための情報であるオブジェクトＩＤを記述する手段を、
備えたことを特徴とする。
本発明の制御装置は上記目的を達成するために、
ＩＥＥＥ１３９４方式に準拠する制御装置において、
ＩＥＥＥ１３９４方式に準拠するＤＩＳＣサブユニットを実装するとともに、前記ＤＩＳＣサブユニットにより記録されたコンテンツであるリアルコンテンツのタイトル名、トータル再生時間を含む再生制御情報を、前記ＩＥＥＥ１３９４方式に準拠するルート・コンテンツ・リスト内に記述し、さらに前記ルート・コンテンツ・リスト内に、前記リアルコンテンツをシーケンシャルに組み合わせて編集した仮想的なコンテンツであるバーチャルコンテンツの前記再生制御情報及び、前記リアルコンテンツの数と前記バーチャルコンテンツの数とを加算したコンテンツ総数を記述し、前記ルート・コンテンツ・リスト内に記述された前記リアルコンテンツと前記バーチャルコンテンツの各前記再生制御情報それぞれに対して、その再生情報に対応するコンテンツが前記リアルコンテンツか前記バーチャルコンテンツかを識別するための情報であるオブジェクトＩＤを記述する手段を備えた記録再生装置に対して、前記ルート・コンテンツ・リストを要求して受信する手段と、
前記受信した前記ルート・コンテンツ・リスト内に記述されている前記オブジェクトＩＤに基づいて、前記ルート・コンテンツ・リスト内に記述されているコンテンツが前記リアルコンテンツか前記バーチャルコンテンツかを識別する手段と、
識別した前記リアルコンテンツの前記タイトル名と前記バーチャルコンテンツの前記タイトル名とを区別して表示する手段とを、
備えたことを特徴とする。
【発明の効果】
【０００７】
本発明によれば、バーチャルプレイリストコンテンツを仮想的にリアルプレイリストコンテンツとみなすことで、ＤＩＳＣ系ＡＶ記録再生装置などの記録再生装置は、バーチャルプレイリストコンテンツ情報を容易に設定でき、実装が容易となる。
また、制御装置は記録再生装置からバーチャルプレイリストコンテンツ情報をリアルプレイリストコンテンツ情報として取得できるため、そのコンテンツを制御可能となる。また、バーチャルプレイリストコンテンツの設定をリアルプレイリストコンテンツの設定と全く共通にすることにより、現行の制御装置は、従来と変わらずリアルプレイリストコンテンツとみなすことができ、動作上の互換性も保たれる。また、オブジェクトＩＤの数値で、リアルプレイリストコンテンツとバーチャルプレイリストコンテンツを判別できるので、制御装置側でリアルプレイリストコンテンツとバーチャルプレイリストコンテンツのタイトル名などの情報を区別して表示可能となる。
【発明を実施するための最良の形態】
【０００８】
以下、図面を参照して本発明の実施の形態について説明する。図１は、ＩＥＥＥ１３９４高速シリアルバス接続形態の一例である。制御装置Ｆ１０１と、被制御装置（ターゲット）であるＤＩＳＣ記録再生装置Ｆ１０２がＩＥＥＥ１３９４高速シリアルバスを介して接続されている。制御装置Ｆ１０１は、ＩＥＥＥ１３９４高速シリアルバスのＡＶ／Ｃコマンドのうち、ＤＩＳＣサブユニット制御コマンドを実装している。被制御装置であるＤＩＳＣ記録再生装置Ｆ１０２は、ＩＥＥＥ１３９４のＡＶ／Ｃコマンドスペックで規定されているＤＩＳＣサブユニットを有し、ＤＩＳＣ制御コマンドで制御され得る装置である。制御装置Ｆ１０１とＤＩＳＣ記録再生装置Ｆ１０２はＩＥＥＥ１３９４インタフェース（不図示）を有して各インタフェースがＩＥＥＥ１３９４ケーブルＦ１１０で接続されていて、制御装置Ｆ１０１は記録再生装置Ｆ１０２に対してＤＩＳＣ制御コマンドにより制御している。制御装置Ｆ１０１は例えばデジタルテレビであり、表示装置Ｆ１０３を備えている。
【０００９】
非特許文献１において、ＤＩＳＣサブユニットは、リアルプレイリスト（リアルプレイリストコンテンツを全て内包したリスト）とバーチャルプレイリスト（バーチャルプレイリストコンテンツを全て内包したリスト）に対応する場合、コンテンツ再生制御情報として図２に示すようなプレイリスト構造を用いることを規定している。ここでは、ＡＶオブジェクトタイプを動画のみを扱う簡略化したリスト構造とする。
【００１０】
図２について詳しく説明する。まず、図２に示すサブユニット識別子デスクリプタ（Subunit Identifier descriptor）Ｆ２０１は、ルートリスト（Root List）総数と、リアルプレイリストであるルート・コンテンツ・リスト（Root Contents list）Ｆ２０２を示すＩＤと、バーチャルプレイリストであるルート・パフォーマンス・リスト（Root Performance list）Ｆ２０３を示すＩＤを含み、Subunit Identifier descriptor Ｆ２０１の下位に Root Contents listＦ２０２と Root Performance list Ｆ２ ０３が設けられている。Root Contents listＦ２０２は、リアルコンテンツ総数と、リアルコンテンツ１、２〜として各リアルコンテンツの再生 制御情報（タイトル名、トータル再生時間など）を含み、Root Performance list Ｆ２０３は、バーチャルコンテンツ総数と、バーチャルコンテンツ１、２としてチャイルド・パフォーマンス・リスト（child performance list）Ｆ２０４、Ｆ２０５を示す各 child list ID1、child list ID2〜を含む。
【００１１】
child performance list Ｆ２０４、Ｆ２０５は、Root Performance list Ｆ２０３より下位のリス トであって、それぞれ Root Performance list Ｆ２０３内の child list ID1、child list ID2が示すリストであり、それぞれサブコンテンツ数とそれぞれのサブコンテンツパラメータを含む。各サブコンテンツパラメータはそれぞれのサブコンテンツが参照するリアルコンテンツの再生制御情報であり、図３に示すようにリアルコンテンツナンバー（Real Content No.）と、リアルコンテンツナンバーが示す各リアルコンテンツの基準開始ポイントからの遅延（時間）である Delay、開始位置（時間）である In-point、及び終了位置（時間）である Out-point を含む。
【００１２】
図２に示すようなプレイリスト構造では、リアルプレイリストの場合は、それぞれのリアルプレイリストコンテンツ情報が Root Contents list Ｆ２０２内に含まれるため、階層構造とはならず、デスクリプタ構造は単純である。一方、バーチャルプレイリストの場合は、それぞれのバーチャルプレイリストコンテンツ情報が Root Performance list Ｆ２０３内に含まれず、Root Performance list Ｆ２０ ３内の child list ID を介した下位の階層の child performance list Ｆ２０４、Ｆ２０５に、サブ コンテンツが参照したリアルプレイリストコンテンツのパラメータを記述しなければならない。
【００１３】
図３に示すそれぞれのパラメータは、図４のタイミングチャートで示す数値を記述されなければならない。図４において、
Ｆ４０１：サブコンテンツ１の遅延（delay1）
Ｆ４１１：サブコンテンツ１が参照したリアルコンテンツ
Ｆ４２１：サブコンテンツ１のインポイント（in-point）
Ｆ４３１：サブコンテンツ１のアウトポイント（out-point）
Ｆ４０２：サブコンテンツ２の遅延（delay2）
Ｆ４１２：サブコンテンツ２が参照したリアルコンテンツ
Ｆ４２２：サブコンテンツ２のインポイント
Ｆ４３２：サブコンテンツ２のアウトポイント
Ｆ４０３：サブコンテンツ３の遅延（delay3）
Ｆ４１３：サブコンテンツ３が参照したリアルコンテンツ
Ｆ４２３：サブコンテンツ３のインポイント
Ｆ４３３：サブコンテンツ３のアウトポイント
である。サブコンテンツが参照するリアルプレイリストコンテンツが多い場合、child performance list  Ｆ２０４、Ｆ２０５上にそれらのコンテンツ全てのパラメータを記述する必要があり、膨大な情報 量となる。よって、バーチャルプレイリストコンテンツ情報を非特許文献１に則って記述することは被制御装置（ＤＩＳＣ記録再生装置Ｆ１０２）のプログラムの負担が重く、実装が極めて困難となる。
【００１４】
ここで、制御装置Ｆ１０１は上記のパラメータ情報を利用することは極くまれで（制御装置Ｆ１０１がＩＥＥＥ１３９４バス経由で編集作業を行う時のみ利用する）、リアルプレイリストの場合と同様に、それぞれのコンテンツのタイトル名、代表するコンテンツ管理情報、コンテンツのトータル再生時間などが取得できれば十分である。よって、本発明では、図５に示すように、本来、Root Performance list Ｆ２０３に記述すべきバーチャルプレイリストコンテンツを、リアルプレイリストコンテンツが記述される Root Contents list Ｆ５０２内に記述することとする。
【００１５】
図５に示す Subunit Identifier descriptor Ｆ５０１は、Root List 総数と、リアルプレイリスト である Root Contents list Ｆ５０２を含み、図２に示す Root Performance list Ｆ２０３は除かれ ている。そして、Root Contents list Ｆ５０２は、リアルコンテンツとバーチャルコンテンツの総数（リアル＋バーチャルコンテンツ総数）と、それぞれのリアルコンテンツ１、２、３〜及びバーチャルコンテンツ１、２、３〜の各再生制御情報（タイトル名、トータル再生時間など）を含む。図２に示す child performance list Ｆ２０４、Ｆ２０５は、バーチャルコンテンツを実際に作成した場合には設定し、Root Contents list Ｆ５０２におけるバーチャルコンテンツ１、２、３〜の各再生制御情報は 、child performance list Ｆ ２０４、Ｆ２０５があれば、それぞれの child list ID1、child list ID2を含む。
【００１６】
これによって、被制御装置（ＤＩＳＣ記録再生装置Ｆ１０２）のプログラムの負担が大幅に軽減される。また、バーチャルプレイリストコンテンツを見かけ上、リアルプレイリストコンテンツとみなしているだけなので、制御装置Ｆ１０１と被制御装置（ＤＩＳＣ記録再生装置Ｆ１０２）間でのＤＩＳＣコマンドのやりとり上の矛盾は生じない。なお、本実施の形態では、バーチャルプレイリストコンテンツを例にして、リアルプレイリストコンテンツと同じ動画コンテンツであるが、静止画、文字情報などのコンテンツであってもよい。
【００１７】
上記実施の形態では、制御機器Ｆ１０１は、記録再生装置Ｆ１０２から実際に取得したコンテンツにおいて、一部バーチャルプレイリストコンテンツが含まれていても、全てリアルプレイリストコンテンツとみなす。非特許文献１では、Root Contents list Ｆ２０２の各コンテンツにナンバー(番号)が割り 振られており、このナンバーは object_IDと定義されている。非特許文献１では、object_ID のナンバーのふり方に規定がなく、実装する装置（ここでは記録再生装置１０２）で自由に設定可能である。
【００１８】
そこで、object_ID の上位ビットにリアルプレイリストコンテンツか又はバーチャルプレイリストコンテンツのタイプを表す情報を付加することにより、制御機器１０１が Root Contents list Ｆ５０２内のコンテンツがリアルプレイリストコンテンツか又はバーチャルプレイリストコンテンツかを容易に判別可能となる。図６はその１例の Subunit Identifier descriptor Ｆ６０１、Root Contents list Ｆ６０２を示し、Root Contents list Ｆ６０２では object_ID の最上位ビットが“１”の場合（図６では、object_ID 値が０×８０００以上）、バーチャルプレイリストコンテンツとなるように設定している。
【００１９】
図７は制御装置Ｆ１０１が被制御装置（ＤＩＳＣ記録再生装置Ｆ１０２）のプレイリストコンテンツ情報を取得するときのフローチャートである。図７において、プレイリストを取り込むと（ステップＦ７０１）、Root Contents list Ｆ２０２、Ｆ５０２の読み出し可能か否かをチェックし（ステップＦ ７０２）、読み出し可能であれば Root Contents list Ｆ２０２、Ｆ５０２内のリアルコンテンツ総数（リアル＋バーチャルコンテンツ総数）をＮにセットするとともに、コンテンツ数カウンタｎと object_ID カウンタ（tmp_obj_id）と共にリセット（ｎ←０，tmp_obj_id←０）する（ステップＦ７０３）。次いで、tmp_obj_id が 示す object_ID が存在するか否かをチェックし（ステップＦ７０４）、存在しなければ tmp_obj_id を次の object_ID にインクリメント（tmp_obj_id ++）し（ステップＦ７０５）、次いでステップＦ７０４に戻る。
【００２０】
ステップＦ７０４において tmp_obj_id が示す object_ID が存在する場合には、ターゲットである 被制御装置（ＤＩＳＣ記録再生装置Ｆ１０２）が自身と同じ会社（自社）の機器か否かをチェックする（ステップＦ７０６）。そして、そうであれば tmp_obj_id が示す object_ID のＭＳＢが１か否かを チェックし（ステップＦ７０７）、１でなければそのコンテンツをリアルプレイリストコンテンツとして記憶し（ステップＦ７０８）、他方、１であればそのコンテンツをバーチャルプレイリストコンテンツとして記憶する（ステップＦ７０９）。次いで、コンテンツ数カウンタｎを１つインクリメント（ｎ←ｎ＋１）し（ステップＦ７１０）、次いでｎ＝Ｎか否かをチェックし（ステップＦ７１１）、ｎ＝ＮでなければステップＦ７０４に戻ってｎ＝ＮになるまでステップＦ７０４〜ステップＦ７１１の処理を繰り返す。そして、ステップＦ７１１においてｎ＝Ｎになるとこの処理を終了する（ステップＦ７１２）。
【００２１】
上記の、どのプレイリストコンテンツがリアルプレイリストコンテンツかバーチャルプレイリストコンテンツかを区別するためのobject_IDの設定値は、公開のベンダーディペンデントコマンドなどを使 って、被制御装置（ＤＩＳＣ記録再生装置Ｆ１０２）から制御装置Ｆ１０１に伝えてもよい。その場合は、図７における、ある限られたメーカの記録再生装置かの判断（Ｆ７０６）は必要なくなり、どのメーカの記録再生装置も利用可能となり、ユーザの使い勝手をよくすることが可能である。
【図面の簡単な説明】
【００２２】
【図１】本発明の一実施の形態の記録再生装置と制御装置を示す構成図である。
【図２】1394TA  AV/C Disc Subunit General Specification 1.2で規定されている Root Contents list と Root Performance list を示す構成図である。
【図３】図２の child performance list 内のパラメータを詳しく示す説明図である。
【図４】図３のパラメータを説明するためのタイミングチャートである。
【図５】本発明の一実施の形態の記録再生装置による Root Contents list を示す構成図である。
【図６】本発明の一実施の形態の記録再生装置による他の Root Contents list を示す構成図である。
【図７】制御装置が記録再生装置からプレイリストを取り込む際の動作を説明するためのフローチャートである。
【符号の説明】
【００２３】
Ｆ１０１  制御装置
Ｆ１０２  被制御装置（ＤＩＳＣ記録再生装置）
Ｆ１０３  表示装置
Ｆ１１０  ＩＥＥＥ１３９４ケーブル
Ｆ２０１、Ｆ５０１、Ｆ６０１  サブユニット識別子デスクリプタ（Subunit Identifier descriptor）
Ｆ２０２、Ｆ５０２、Ｆ６０２  ルート・コンテンツ・リスト（Root Contents list）
Ｆ２０３  ルート・パフォーマンス・リスト（Root Performance list）
Ｆ２０４  child list ID1 のチャイルド・パフォーマンス・リスト（child performance list）
Ｆ２０５  child list ID2 のチャイルド・パフォーマンス・リスト（child performance list）
【図１】
2008217852.tif 000003
【図２】
2008217852.tif 000004
【図３】
2008217852.tif 000005
【図４】
2008217852.tif 000006
【図５】
2008217852.tif 000007
【図６】
2008217852.tif 000008
【図７】
2008217852.tif 000009